(57)【要約】      （修正有）【課題】ユーザの外出時に、当該外出において携帯する物品のみを置き忘れ防止対象として選択して移動端末装置に登録する。【解決手段】ベース装置に第１無線通信リンクを用いて接続される電子タグと、アラーム生成手段とを有し、電子タグと第２無線通信リンクを用いて接続される移動端末装置と、を用いたアラーム生成方法であって、電子タグとベース装置が離れることによって第１無線通信リンクが切断された場合に、電子タグは電子タグの第１情報を、第２無線通信リンクを用いて移動端末装置へ通知する。移動端末装置は、第１情報を通知した電子タグを監視対象として登録する。【選択図】図５
2018085605.tif 000002
【特許請求の範囲】
【請求項１】
第１通信装置と、
第１無線通信リンクを用いて前記第１通信装置と接続される第２通信装置と、
第１記憶部と第１アラーム生成手段とを有し、第２無線通信リンクを用いて前記第１通信装置と接続される情報処理装置と、を含み、
前記第２無線通信リンクが切断された場合であって、前記第１通信装置を特定する第１情報が前記第１記憶部に登録されている場合に、前記情報処理装置が、前記第１アラーム生成手段を用いてアラームを生成する電子システムであって、
前記第１無線通信リンクが切断された場合、前記第１通信装置は、前記第１情報を、前記第２無線通信リンクを用いて前記情報処理装置へ送信し、
前記情報処理装置は、前記第１情報の受信に基づき、前記第１情報を前記第１記憶部に登録する
ことを特徴とする電子システム。
【請求項２】
前記第１通信装置は、第２アラーム生成手段を有し、
前記第１通信装置は、前記第１無線通信リンク及び前記第２無線通信リンクが切断されている場合に、前記第２アラーム生成手段を用いてアラームを生成する
ことを特徴とする請求項１に記載の電子システム。
【請求項３】
前記第１通信装置は、前記第１無線通信リンクが切断された場合に、前記第１情報を含むパケットを発信し、
前記情報処理装置は、前記第１通信装置のサーチを実行し、
前記サーチにおいて前記情報処理装置が前記パケットを受信した場合に、前記第１通信装置及び前記情報処理装置は、前記第２無線通信リンクを形成する
ことを特徴とする請求項１又は２に記載の電子システム。
【請求項４】
前記情報処理装置は、前記情報処理装置を特定する第２情報を含むパケットを発信し、
前記第１通信装置は、前記第１無線通信リンクが切断された場合に、前記情報処理装置のサーチを実行し、
前記サーチにおいて前記第１通信装置が前記パケットを受信した場合に、前記第１通信装置及び前記情報処理装置は、前記第２無線通信リンクを形成する
ことを特徴とする請求項１又は２に記載の電子システム。
【請求項５】
前記情報処理装置は、前記第２無線通信リンクの形成を実行する無線装置を有し、
前記情報処理装置は、第３通信装置との間に、第３無線通信リンクを形成し、
前記情報処理装置は、前記第３無線通信リンクが切断された場合に、前記無線装置を起動する
ことを特徴とする請求項１乃至４何れか一項に記載の電子システム。
【請求項６】
前記情報処理装置は、前記第３無線通信リンクが回復した場合に、前記第１記憶部から前記第１情報を削除する
ことを特徴とする請求項５に記載の電子システム。
【請求項７】
第１無線通信リンクを用いて他の通信装置と接続され、第２無線通信リンクを用いて情報処理装置と接続される通信装置であって、
前記第１無線通信リンクが切断された場合、前記通信装置を特定する第１情報を、前記第２無線通信リンクを用いて前記情報処理装置へ送信する
ことを特徴とする通信装置。
【請求項８】
アラーム生成手段を有し、前記第１無線通信リンク及び前記第２無線通信リンクが切断されている場合に、前記アラーム生成手段を用いてアラームを生成する
ことを特徴とする請求項７に記載の通信装置。
【請求項９】
第１通信装置と、第１無線通信リンクを用いて前記第１通信装置と接続される第２通信装置と、第１記憶部と第１アラーム生成手段とを有し、第２無線通信リンクを用いて前記第１通信装置と接続される情報処理装置と、を含み、前記第２無線通信リンクが切断された場合であって、前記第１通信装置を特定する第１情報が前記第１記憶部に登録されている場合に、前記情報処理装置が、前記第１アラーム生成手段を用いてアラームを生成する電子システムにより実行される登録方法であって、
前記第１無線通信リンクが切断された場合、前記第１通信装置が、前記第１情報を、前記第２無線通信リンクを用いて前記情報処理装置へ送信し、
前記情報処理装置は、前記第１情報の受信に基づき、前記第１情報を前記第１記憶部に登録する
ことを特徴とする登録方法。
【請求項１０】
前記第１通信装置は、第２アラーム生成手段を有し、
前記第１通信装置が、前記第１無線通信リンク及び前記第２無線通信リンクが切断されている場合に、前記第２アラーム生成手段を用いてアラームを生成する
ことを特徴とする請求項９に記載の登録方法。
【発明の詳細な説明】
【技術分野】
【０００１】
本開示は、電子システム、通信装置及び登録方法に関する。
【背景技術】
【０００２】
物品の置き忘れを防止する方法として、Ｂｌｕｅｔｏｏｔｈ（登録商標）などの近距離無線通信機能を有する電子タグを用いた方法が提案されている。まず、物品に装着されたＢｌｕｅｔｏｏｔｈ機能を有する電子タグと、Ｂｌｕｅｔｏｏｔｈ機能を有する移動端末装置、例えばスマートフォンとが互いに対応付けて登録される（ペアリング）。そして両者間で無線通信リンクが形成され、両者間の距離が離れることで無線通信リンクが切断された場合に、電子タグ及びスマートフォンの少なくとも一方で、音、光、又はバイブレーション等によるアラームが発生する。
【０００３】
このような置き忘れ防止方法に関し、以下のような場面が想定される。あるユーザが、所有する複数の物品にそれぞれ電子タグを装着する。そして当該ユーザが、スマートフォン及び当該複数の物品のうちの一部の物品を携帯し、他の一部の物品を宅内に置いて外出する。尚、外出する際、当該ユーザは外出に際して必要な物品を全て正しく携帯しているものとする。ユーザは、携帯されている物品が外出先において置き忘れられた場合に、スマートフォンや物品に付された電子タグがアラームを発生して置き忘れを通知することを期待する。ところが、ユーザが外出して自宅から離れた際、外出時の持ち物とならずに宅内に置かれた物品に付された電子タグは、スマートフォンとの間の無線通信リンクが切断されたことに起因してアラームを発生する。すなわち、ユーザがその外出に際しては不要と判断して携帯しなかった物品が、置き忘れられたものと判断されてアラームが発生してしまう。このような事態を防ぐために、外出の際に携帯される物品に付された電子タグを、外出先での置き忘れ防止の対象（以下、監視対象）として選択的に、スマートフォンに登録させる技術が知られている。
【０００４】
例えばユーザが、スマートフォン及び外出時に携帯するものを身に付けた状態で、スマートフォンから低出力の電波を発信して電子タグのサーチを行う。低出力の電波が使用されるため、ユーザの極近距離にある電子タグだけが検知され、ユーザから離れた位置にある電子タグは検知されない。そして検知された電子タグだけが選択的に監視対象としてスマートフォンに登録される。その後、監視対象として登録された電子タグが装着された物品が、外出先で置き忘れられてスマートフォンと離れた場合には、スマートフォン及び電子タグの少なくとも一方からアラームが生成される。
【先行技術文献】
【特許文献】
【０００５】
【特許文献１】特開２００６−１４０５５０号公報
【特許文献２】特開２００６−９２０５１号公報
【特許文献３】特開２００４−２５２５２１号公報
【特許文献４】特開２０１５−１５４１２３号公報
【発明の概要】
【発明が解決しようとする課題】
【０００６】
上述の先行技術によれば、スマートフォンから低出力の電波を発信して電子タグのサーチを行うことで、ユーザの周辺に位置する物品に付された電子タグが監視対象として選択される。しかし、スマートフォンから出力される電波の状況や、スマートフォンと電子タグとの間の障害物の状況等によっては、ユーザの近くに位置する電子タグを選択し、ユーザから離れた位置にある電子タグを非選択とすることが困難な場合がある。
【０００７】
開示の技術は、監視対象となる電子タグを適切に選択して登録することを目的とする。
【課題を解決するための手段】
【０００８】
開示の電子システムは、第１通信装置と、第１無線通信リンクを用いて第１通信装置と接続される第２通信装置と、第１記憶部と第１アラーム生成手段とを有し、第２無線通信リンクを用いて第１通信装置と接続される情報処理装置と、を含み、第２無線通信リンクが切断された場合であって、第１通信装置を特定する第１情報が第１記憶部に登録されている場合に、情報処理装置が、第１アラーム生成手段を用いてアラームを生成する電子システムであって、第１無線通信リンクが切断された場合、第１通信装置は、第１情報を、第２無線通信リンクを用いて情報処理装置へ送信し、情報処理装置は、第１情報の受信に基づき、第１情報を第１記憶部に登録することを特徴とする。
【発明の効果】
【０００９】
監視対象となる電子タグを適切に選択して登録することができる。
【図面の簡単な説明】
【００１０】
【図１Ａ】実施例における物品の置き忘れ防止システム及び置き忘れ防止処理の概要を説明するための図である。
【図１Ｂ】実施例における物品の置き忘れ防止システム及び置き忘れ防止処理の概要を説明するための図である。
【図２】実施例における電子タグのハードウェア構成図である。
【図３】実施例における移動端末装置のハードウェア構成図である。
【図４】実施例におけるベース装置のハードウェア構成図である。
【図５】実施例における電子タグと移動端末装置とベース装置の間で実行される処理の概要を示す図である。
【図６】実施例における電子タグのプロセッサの機能ブロック図である。
【図７】実施例における移動端末装置のプロセッサの機能ブロック図である。
【図８】実施例におけるベース装置のプロセッサの機能ブロック図である。
【図９】実施例における電子タグのプロセッサによって実行される処理のフローチャートである。
【図１０】実施例における移動端末装置のプロセッサによって実行される処理のフローチャートである。
【図１１】電子タグのプロセッサによって実行される処理のフローチャートである。
【図１２】実施例の変形例におけるユーザの外出を移動端末装置が検知するシステム構成図である。
【図１３】実施例の変形例におけるアクセスポイントのハードウェア構成図である。
【図１４】実施例の変形例における移動端末装置のプロセッサの機能ブロック図である。
【図１５】実施例の変形例における電子タグ、移動端末装置、ベース装置及びアクセスポイントの間で実行される処理の概要を示す図である。
【図１６】実施例の変形例における移動端末装置のプロセッサによって実行される処理のフローチャートである。
【発明を実施するための形態】
【００１１】
以下において、第１通信装置、例えば物品に付された電子タグと、第１通信装置と第１無線通信リンクを用いて接続される第２通信装置、例えばユーザ宅内に配置されたベース装置と、第１通信装置と第２無線通信リンクを用いて接続される情報処理装置、例えばスマートフォン等の移動端末装置と、を含む置き忘れ防止システムが開示される。情報処理装置は、記憶部とアラーム生成手段とを有し、第１通信装置は、第２通信装置との第１無線通信リンクが切断された場合に、第１通信装置を特定する固有情報（Ｉｄｅｎｔｉｆｉｃａｔｉｏｎ：ＩＤ）を、第２無線通信リンクを用いて情報処理装置へ送信し、情報処理装置は、当該ＩＤによって特定される第１通信装置を、置き忘れ防止処理における監視対象として記憶部に登録する。そして、第２無線通信リンクが切断された場合であって、記憶部に第１通信装置が登録されている場合には、情報処理装置は、アラーム生成手段を用いてアラームを生成する。以下の実施例にて詳細が開示される。
【００１２】
＜実施例＞
図１Ａ及び図１Ｂは、実施例における物品の置き忘れ防止システム及び置き忘れ防止処理の概要を説明するための図である。図１Ａの（Ａ）は、例えばユーザ宅内に、移動端末装置２００及び複数の物品１ａ、物品１ｂ、物品１ｃ、物品１ｄが置かれている状態を示している。物品１ａ、物品１ｂ、物品１ｃ、物品１ｄにはそれぞれ電子タグ１００ａ、電子タグ１００ｂ、電子タグ１００ｃ、電子タグ１００ｄが付されている。移動端末装置２００には近距離無線通信機能、例えばＢｌｕｅｔｏｏｔｈ通信機能が備えられている。同様に電子タグ１００ａ、電子タグ１００ｂ、電子タグ１００ｃ、電子タグ１００ｄにもそれぞれＢｌｕｅｔｏｏｔｈ通信機能が備えられている。移動端末装置２００と電子タグ１００ａ、電子タグ１００ｂ、電子タグ１００ｃ、電子タグ１００ｄの間にはそれぞれ、Ｂｌｕｅｔｏｏｔｈの無線通信リンクが形成されているものとする。
【００１３】
移動端末装置２００は、後述されるように、電子タグ１００ａ、電子タグ１００ｂ、電子タグ１００ｃ、電子タグ１００ｄの中から、外出時に監視対象とする電子タグを選択的に登録する機能を有する。図１Ａの（Ａ）の状態においては未だ監視対象は登録されていない。尚、以下において「物品１」の表記は、物品１ａ、物品１ｂ、物品１ｃ、物品１ｄの中の一又は複数の任意の物品を指すものとし、「電子タグ１００」の表記は、電子タグ１００ａ、電子タグ１００ｂ、電子タグ１００ｃ、電子タグ１００ｄの中の一又は複数の任意の電子タグを指すものとする。
【００１４】
図１Ａの（Ａ）は更に、ユーザ宅内に設けられたベース装置４００を開示する。ベース装置４００は、各電子タグ１００及び情報処理装置２００と同様に、Ｂｌｕｅｔｏｏｔｈ通信機能を備える。各電子タグ１００とベース装置４００は、Ｂｌｕｅｔｏｏｔｈによる無線通信リンクにより互いに接続される。
【００１５】
図１Ｂの（Ｂ）において、ユーザが移動端末装置２００と共に、外出時に携帯するべき物品１ｃ及び物品１ｄを携帯して自宅を出たとする。この時、ユーザがベース装置４００から離れることにより、電子タグ１００ｃ及び電子タグ１００ｄとベース装置４００との間にそれぞれ形成されていた無線通信リンクが切断される。電子タグ１００ｃ及び電子タグ１００ｄは、ベース装置４００との間の無線通信リンクの切断を契機として、移動端末装置２００との間の無線通信リンクを用いて、各電子タグ１００のＩＤを、移動端末装置２００へ送信する。移動端末装置２００は、送信されたＩＤによって特定される電子タグ１００を、監視対象として選択的に登録する。一方、ユーザ宅内に置かれ、ベース装置４００との間の無線通信リンクが切断されていない電子タグ１００は、監視対象として選択されない。
【００１６】
このように、外出するユーザに携帯される物品１に付された電子タグ１００とベース装置４００との間の無線通信リンクの切断を利用することにより、監視対象とすべき電子タグ１００が選択的に登録される。
【００１７】
その後、図１Ｂの（Ｃ）に示されるように、ユーザが外出中に例えば物品１ｃを置き忘れた場合は、電子タグ１００ｃと移動端末装置２００との間の無線通信リンクが切断され、移動端末装置２００がアラームを発生することにより、ユーザに物品１ｃの置き忘れを通知する。また、ユーザが移動端末装置２００を置き忘れた場合には、逆に電子タグ１００ｃがアラームを発生することにより、ユーザに移動端末装置２００の置き忘れを通知する。
【００１８】
図２は、実施例における電子タグ１００のハードウェア構成図である。電子タグ１００は、プロセッサ１１０、揮発性メモリ１２０、不揮発性メモリ１３０、入力装置１４０、出力装置１５０及び無線装置１７０を含む。プロセッサ１１０は、不揮発性メモリ１３０に格納されたコンピュータプログラム、例えば置き忘れ防止のためのアプリケーションプログラムを揮発性メモリ１２０にロードして実行することにより、置き忘れ防止のための所定の処理を実行する。プロセッサ１１０はハードウェアプロセッサであり、Ｃｅｎｔｒａｌ  Ｐｒｏｃｅｓｓｉｎｇ  Ｕｎｉｔ（ＣＰＵ）、Ｍｉｃｒｏ  Ｃｏｎｔｒｏｌ  Ｕｎｉｔ（ＭＣＵ）、Ｍｉｃｒｏ  Ｐｒｏｃｅｓｓｉｎｇ  Ｕｎｉｔ（ＭＰＵ）、Ｄｉｇｉｔａｌ  Ｓｉｇｎａｌ  Ｐｒｏｃｅｓｓｏｒ（ＤＳＰ）、Ｆｉｅｌｄ  Ｐｒｏｇｒａｍｍａｂｌｅ  Ｇａｔｅ  Ａｒｒａｙ（ＦＰＧＡ）等が適用可能である。
【００１９】
不揮発性メモリ１３０には、プロセッサ１１０によって実行されるコンピュータプログラム、例えば置き忘れ防止のためのアプリケーションプログラム等が格納される。不揮発性メモリ１３０は、例えばＲｅａｄ  Ｏｎｌｙ  Ｍｅｍｏｒｙ（ＲＯＭ）、Ｍａｓｋ  Ｒｅａｄ  Ｏｎｌｙ  Ｍｅｍｏｒｙ（マスクＲＯＭ）、Ｐｒｏｇｒａｍａｂｌｅ  Ｒｅａｄ  Ｏｎｌｙ  Ｍｅｍｏｒｙ（ＰＲＯＭ）、フラッシュメモリ、Ｍａｇｎｅｔｏｒｅｓｉｓｔｉｖｅ  Ｒａｎｄｏｍ  Ａｃｃｅｓｓ  Ｍｅｍｏｒｙ（ＭＲＡＭ）、Ｒｅｓｉｓｔａｎｃｅ  Ｒａｎｄｏｍ  Ａｃｃｅｓｓ  Ｍｅｍｏｒｙ（ＲｅＲＡＭ）、Ｆｅｒｒｏｅｌｅｃｔｒｉｃ  Ｒａｎｄｏｍ  Ａｃｃｅｓｓ  Ｍｅｍｏｒｙ（ＦｅＲＡＭ）等である。
【００２０】
揮発性メモリ１２０には、不揮発性メモリ１３０に格納されているコンピュータプログラムがロードされる。また揮発性メモリ１２０には、プロセッサ１１０による演算処理に使用されるデータや演算処理の結果であるデータ等が保持される。揮発性メモリ１２０は、例えばＳｔａｔｉｃ  Ｒａｎｄｏｍ  Ａｃｃｅｓｓ  Ｍｅｍｏｒｙ（ＳＲＡＭ）やＤｙｎａｍｉｃ  Ｒａｎｄｏｍ  Ａｃｃｅｓｓ  Ｍｅｍｏｒｙ（ＤＲＡＭ）等である。
【００２１】
入力装置１４０はタッチパネル、キースイッチ、ボタンスイッチ等であり、例えば他のＢｌｕｅｔｏｏｔｈ機器とのペアリング設定時等にユーザによって操作される。出力装置１５０はＬｉｑｕｉｄ  Ｃｒｙｓｔａｌ  Ｄｉｓｐｌａｙ（ＬＣＤ）、Ｌｉｇｈｔ  Ｅｍｉｔｔｉｎｇ  Ｄｉｏｄｅ（ＬＥＤ）、スピーカ、振動モータ等であり、例えば置き忘れが発生した場合にユーザに通知するための光や音を出力し、又は電子タグ１００を振動させる。無線装置１７０は、近距離無線通信、例えばＢｌｕｅｔｏｏｔｈ通信を行う機能を有する通信モジュールである。なお、揮発性メモリ１２０は利用されなくてもよい。その場合、プロセッサ１１０が不揮発性メモリ１３０に格納されているコンピュータプログラムを直接実行すればよい。
【００２２】
図３は、実施例における移動端末装置２００のハードウェア構成図である。移動端末装置２００は、プロセッサ２１０、揮発性メモリ２２０、不揮発性メモリ２３０、入力装置２４０、出力装置２５０、無線装置２７０、無線装置２８０及び無線装置２９０を含む。プロセッサ２１０は、不揮発性メモリ２３０に格納されたコンピュータプログラム、例えば置き忘れ防止のためのアプリケーションプログラムを揮発性メモリ２２０にロードして実行することにより、置き忘れ防止のための所定の処理を実行する。プロセッサ２１０はハードウェアプロセッサであり、ＣＰＵ、ＭＣＵ、ＭＰＵ、ＤＳＰ、ＦＰＧＡ等が適用可能である。不揮発性メモリ２３０には、プロセッサ２１０によって実行されるコンピュータプログラム、例えば置き忘れ防止のアプリケーションプログラム等が格納される。不揮発性メモリ２３０は、例えばＲＯＭ、マスクＲＯＭ、ＰＲＯＭ、フラッシュメモリ、ＭＲＡＭ、ＲｅＲＡＭ、ＦｅＲＡＭ等である。揮発性メモリ２２０には、不揮発性メモリ２３０に格納されているコンピュータプログラムがロードされる。また揮発性メモリ２２０には、プロセッサ２１０による演算処理に使用されるデータや演算処理の結果であるデータ等が保持される。揮発性メモリ２２０は、例えばＳＲＡＭやＤＲＡＭ等である。
【００２３】
入力装置２４０はタッチパネル、キースイッチ、ボタンスイッチ等である。出力装置２５０はＬＣＤ、ＬＥＤ、スピーカ、振動モータ等である。無線装置２７０は、近距離無線通信、例えばＢｌｕｅｔｏｏｔｈ通信を行う機能を有する通信モジュールである。無線装置２８０は、例えばＷｉ‐Ｆｉ（登録商標）の通信機能を有する通信モジュールである。無線装置２９０は、例えばＧｌｏｂａｌ  Ｓｙｓｔｅｍ  Ｆｏｒ  Ｍｏｂｉｌｅ  Ｃｏｍｍｕｎｉｃａｔｉｏｎｓ（ＧＳＭ（登録商標））やＴｈｉｒｄ  Ｇｅｎｅｒａｔｉｏｎ（３Ｇ）やＬｏｎｇ  Ｔｅｒｍ  Ｅｖｏｌｕｔｉｏｎ（ＬＴＥ）の通信機能を有する通信モジュールである。
【００２４】
図４は、実施例におけるベース装置４００のハードウェア構成図である。ベース装置４００は、プロセッサ４１０、揮発性メモリ４２０、不揮発性メモリ４３０、入力装置４４０、出力装置４５０、無線装置４７０を含む。プロセッサ４１０は、不揮発性メモリ４３０に格納されたコンピュータプログラムを揮発性メモリ４２０にロードして実行する。プロセッサ４１０はハードウェアプロセッサであり、ＣＰＵ、ＭＣＵ、ＭＰＵ、ＤＳＰ、ＦＰＧＡ等が適用可能である。不揮発性メモリ４３０には、プロセッサ４１０によって実行されるコンピュータプログラム等が格納される。不揮発性メモリ４３０は、例えばＲＯＭ、マスクＲＯＭ、ＰＲＯＭ、フラッシュメモリ、ＭＲＡＭ、ＲｅＲＡＭ、ＦｅＲＡＭ等である。揮発性メモリ４２０には、不揮発性メモリ４３０に格納されているコンピュータプログラムがロードされる。また揮発性メモリ４２０には、プロセッサ４１０による演算処理に使用されるデータや演算処理の結果であるデータ等が保持される。揮発性メモリ４２０は、例えばＳＲＡＭやＤＲＡＭ等である。
【００２５】
入力装置４４０はタッチパネル、キースイッチ、ボタンスイッチ等である。出力装置４５０はＬＣＤ、ＬＥＤ、スピーカ、振動モータ等である。無線装置４７０は、近距離無線通信、例えばＢｌｕｅｔｏｏｔｈ通信を行う機能を有する通信モジュールである。
【００２６】
図５は、実施例における電子タグ１００と移動端末装置２００とベース装置４００の間で実行される処理の概要を示す図である。ここでは電子タグ１００として、外出時にユーザが携帯している物品１ｃと、ユーザ宅内に置かれた物品１ａにそれぞれ付された電子タグ１００ｃ、電子タグ１００ａについて開示される。
【００２７】
ユーザの外出前の状態において、処理Ｓ５０５、処理Ｓ５０８及び処理Ｓ５１０に示されるように、電子ダグ１００ａ及び電子タグ１００ｃは、それぞれベース装置４００と無線通信リンクにより接続される。その後、ユーザが外出してベース装置４００から離れると、ユーザに携帯されている物品１ｃに付された電子タグ１００ｃとベース装置４００との間の無線通信リンクが切断される。処理Ｓ５１５において電子タグ１００ｃは、ベース装置４００との間の無線通信リンクの切断を検知する。処理Ｓ５１７及び処理Ｓ５１８において移動端末装置２００と電子タグ１００ｃの各々が、無線通信リンクによる相互の接続を行う。処理Ｓ５２０において電子タグ１００ｃは、自身のＩＤを移動端末装置２００に通知する。処理Ｓ５２５において移動端末装置２００は、電子タグ１００ｃから送信されたＩＤに基づき、電子タグ１００ｃを監視対象として登録する。そして処理Ｓ５３０において監視の処理を実行する。具体的には、電子タグ１００ｃと移動端末装置２００との間の無線通信リンクが切断された場合には、出力装置２５０を用いてアラームを発生させる。その後、処理Ｓ５３５において、移動端末装置２００は、置き忘れ防止処理を終了する。例えばユーザが帰宅した際に、ユーザが置き忘れ処理の終了指示を、入力装置２４０を用いて移動端末装置２００に入力した場合は、電子タグ１００ｃと移動端末装置２００の間の無線通信リンクによる接続が終了する（無線通信リンクが切断される）。そして処理Ｓ５４０において移動端末装置２００は、監視対象として登録されていた内容をリセットする。また処理Ｓ５４５及び処理Ｓ５４８において電子タグ１００ｃとベース装置４００は、無線通信リンクにより接続される。尚、監視対象として登録されていた内容のリセット処理の詳細は後述される。
【００２８】
このように、ベース装置４００との無線通信リンクが切断された電子タグ１００が自身のＩＤを移動端末装置２００に送信することにより、ユーザが携帯している物品１に付された電子タグ１００が選択的に、監視対象として登録される。
【００２９】
図６は、実施例における電子タグ１００のプロセッサ１１０の機能ブロック図である。プロセッサ１１０は不揮発性メモリ１３０に格納された置き忘れ防止のためのアプリケーションプログラムを実行することにより、リンク部１１１、リンク切断検知部１１２、ＩＤ通知部１１３、アラーム部１１４、制御部１１５及びペアリングリスト１１８として機能する。リンク部１１１は、電子タグ１００と移動端末装置２００の間の無線通信リンク、及び電子タグ１００とベース装置４００との間の無線通信リンクを確立させるための諸制御を実行する。リンク切断検知部１１２は、電子タグ１００と移動端末装置２００の間の無線通信リンク、及び電子タグ１００とベース装置４００の間の無線通信リンクが切断されたことを検知する。Ｂｌｕｅｔｏｏｔｈは例えばクラス２であれば１０ｍ程度の通信が可能であり、電子タグ１００と移動端末装置２００又はベース装置４００との間の距離が１０ｍを超えて大きくなった場合等には、無線通信リンクが切断される。ＩＤ通知部１１３は、電子タグ１００とベース装置４００との間の無線通信リンクが切断された場合に、電子タグ１００のＩＤを移動端末装置２００へ通知する。アラーム部１１４は、電子タグ１００と移動端末装置２００の間の無線通信リンクが切断された場合であって、かつ電子タグ１００とベース装置４００の間の無線通信リンクが切断された場合に、アラームが生成されるよう出力装置１５０を制御する。例えば出力装置１５０がスピーカである場合、アラーム部１１４は出力装置１５０から警告音が発生されるよう制御を行う。制御部１１５は、置き忘れ防止処理の全般に関する制御や、ペアリングリスト１１８への登録等を行う。ペアリングリスト１１８には、ペアリングされた機器が登録される。本実施例においては、各電子タグ１００はそれぞれ移動端末装置２００及びベース装置４００とのペアリングが行われ、制御部１１５は、移動端末装置２００のＩＤ及びベース装置４００のＩＤをペアリングリスト１１８に登録する。図６において、移動端末装置２００のＩＤは「１００００１」であり、ベース装置４００のＩＤは「２００００１」であるものとする。尚、ペアリングリスト１１８は、プロセッサ１１０によって実現されなくてもよく、電子タグ１００の有する何等かの記憶部によって実現される。記憶部として、例えば揮発性メモリ１２０が用いられてもよい。
【００３０】
図７は、実施例における移動端末装置２００のプロセッサ２１０の機能ブロック図である。プロセッサ２１０は不揮発性メモリ２３０に格納された置き忘れ防止のためのアプリケーションプログラムを実行することにより、リンク部２１１、リンク切断検知部２１２、アラーム部２１４、制御部２１５及び監視対象リスト２１９として機能する。リンク部２１１は、電子タグ１００と移動端末装置２００との間での無線通信リンクの確立のための諸制御を実行する。リンク切断検知部２１２は、電子タグ１００と移動端末装置２００との間で無線通信リンクが切断されたことを検知する。アラーム部２１４は、リンク切断検知部２１２が無線通信リンクの切断を検知した場合に、アラームが生成されるよう出力装置２５０を制御する。制御部２１５は、置き忘れ防止処理の全般に関する処理や、監視対象リスト２１９への登録等を行う。監視対象リスト２１９には、ペアリングされた機器が登録されると共に、監視対象となる機器が登録される。例えば電子タグ１００とのペアリングが行われた場合には、制御部２１５は、電子タグ１００のＩＤを監視対象リスト２１９に登録する。また制御部２１５は、ＩＤを電子タグ１００から受信した場合には、ＩＤによって特定される電子タグ１００を監視対象として監視対象リスト２１９に登録する。例えば、電子タグ１００が監視対象である場合、監視リスト２１９の「監視対象」欄には「１」が登録され、電子タグ１００が監視対象ではない場合は、「監視対象」の欄には「０」が登録されるものとする。すなわち、図７に示される監視対象リスト２１９の例では、ペアリングされた電子タグ１００のうち、電子タグ１００ａ及び電子タグ１００ｂは監視対象外であり、電子タグ１００ｃ及び電子タグ１００ｄが監視対象として登録されている。尚、電子タグ１００ａのＩＤは「０００００１」であり、電子タグ１００ｂのＩＤは「０００００２」であり、電子タグ１００ｃのＩＤは「０００００３」であり、電子タグ１００ｄのＩＤは「０００００４」であるものとする。尚、監視対象リスト２１９は、プロセッサ２１０によって実現される必要はなく、移動端末装置２００の有する何等かの記憶部によって実現される。記憶部として、例えば揮発性メモリ２２０が用いられてもよい。
【００３１】
図８は、実施例におけるベース装置４００のプロセッサ４１０の機能ブロック図である。プロセッサ４１０は不揮発性メモリ４３０に格納されたコンピュータプログラムを実行することにより、リンク部４１１、制御部４１５及びペアリングリスト４１８として機能する。リンク部４１１は、電子タグ１００とベース装置４００との間での無線通信リンクの確立のための諸制御を実行する。制御部４１５は、ペアリングリスト４１８への登録等を行う。ペアリングリスト４１８には、ペアリングされた機器が登録される。本実施例においては、ベース装置４００は各電子タグ１００とペアリングされ、制御部４１５は、各電子タグ１００のＩＤをペアリングリスト４１８に登録する。尚、ペアリングリスト４１８は、プロセッサ４１０によって実現される必要はなく、ベース装置４００の有する何等かの記憶部によって実現される。記憶部として、例えば揮発性メモリ４２０が用いられてもよい。
【００３２】
図９は、実施例における電子タグ１００のプロセッサ１１０によって実行される処理のフローチャートである。処理フローは処理Ｓ６００により開始され、処理Ｓ６０５においてリンク切断検知部１１２は、電子タグ１００とベース装置４００の間の無線通信リンクが切断されたか否かを判定する。無線通信リンクが切断されたと判定された場合は、処理フローは処理Ｓ６１０へ進み、無線通信リンクが切断されたと判定されない場合は、処理Ｓ６０５が繰り返し実行される。処理Ｓ６１０においてリンク部１１１は、無線通信リンクにより電子タグ１００が移動端末装置２００に接続されているか否かを判定する。電子タグ１００が移動端末装置２００に接続されていると判定された場合は、処理フローは処理Ｓ６２０へ進み、電子タグ１００が移動端末装置２００に接続されていると判定されない場合は、処理フローは処理Ｓ６４５へ進む。処理Ｓ６２０においてＩＤ通知部１１３は、電子タグ１００のＩＤを、無線通信リンクを用いて移動端末装置２００に通知する。その後、処理Ｓ６２５においてリンク切断検知部１１２は、電子タグ１００と移動端末装置２００との間の無線通信リンクが切断されたか否かを判定する。無線通信リンクが切断されたと判定された場合は、処理フローは処理Ｓ６３０へ進み、無線通信リンクが切断されたと判定されない場合は、処理Ｓ６２５が繰り返し実行される。処理Ｓ６３０においてリンク部１１１は、電子タグ１００とベース装置４００の間の無線通信リンクが回復したか否かを判定する。無線通信リンクが回復したと判定された場合は、処理フローは処理Ｓ６０５へ戻り、無線通信リンクが回復したと判定されない場合は、処理フローは処理Ｓ６３５へ進む。処理Ｓ６３５においてアラーム部１１４は、アラームが発生されるよう、出力装置１５０を制御する。その後、処理Ｓ６４０においてリンク部１１１が、移動端末装置２００との無線通信リンクが回復したか否かを判定する。無線通信リンクが回復したと判定された場合は、処理フローは処理Ｓ６２５へ戻り、無線通信リンクが回復されたと判定されない場合は、処理フローは処理Ｓ６３５へ戻る。
【００３３】
また、処理Ｓ６１０において電子タグ１００と移動端末装置２００とが無線通信リンクにより接続されていると判定されない場合、処理Ｓ６４５においてアラーム部１１４は、アラームが発生されるよう、出力装置１５０を制御する。その後、処理Ｓ６５０においてリンク部１１１が、ベース装置４００との無線通信リンクが回復したか否かを判定する。無線通信リンクが回復したと判定された場合は、処理フローは処理Ｓ６０５へ戻り、無線通信リンクが回復されたと判定されない場合は、処理フローは処理Ｓ６４５へ戻る。
【００３４】
ここで、処理Ｓ６０５、処理Ｓ６１０、処理Ｓ６４５及び処理６５０について、説明を補足する。図７においてアラーム部１１４の機能が説明されたように、アラーム部１１４は、電子タグ１００と移動端末装置２００の間の無線通信リンクが切断された場合であって、かつ電子タグ１００とベース装置４００の間の無線通信リンクが切断された場合に、アラームが生成されるよう出力装置１５０を制御する。これにより、ユーザが移動端末装置２００を宅内に置き忘れて物品１のみを携帯して外出した場合に、当該物品１に付された電子タグ１００がアラームを生成し、ユーザに移動端末装置２００の置き忘れを通知する。図９に開示された処理フローにおいて、処理Ｓ６１０においてベース装置４００との無線通信リンクが切断され、処理Ｓ６１０において移動端末装置２００との無線通信リンクが切断された状態は、ユーザが移動端末装置２００を宅内に置き忘れて電子タグ１００が付された物品１のみを携帯して外出した場合に相当する。この場合は処理Ｓ６４５において電子タグ１００からアラームが生成される。その後、処理Ｓ６５０においてベース装置４００との無線通信リンクが回復した状態は、ユーザが物品１を持って自宅に戻った状態に相当する。このように実施例では、ユーザが移動端末装置２００を宅内に置き忘れて電子タグ１００が付された物品１のみを携帯して外出した場合であっても、電子タグ１００がアラームを生成し、ユーザに移動端末装置２００の置き忘れを通知することができる。
【００３５】
図１０は、実施例における移動端末装置２００のプロセッサ２１０によって実行される処理のフローチャートである。処理フローは処理Ｓ７００により開始され、処理Ｓ７０５においてリンク部２１１が、電子タグ１００と移動端末装置２００との間の無線通信リンクを形成し、移動端末装置２００が電子タグ１００に接続される。処理Ｓ７１０において制御部２１５は、無線通信リンクを用いて電子タグ１００から、電子タグ１００のＩＤを受信する。このＩＤは、ベース装置４００との無線通信リンクが切断された電子タグ１００を特定するＩＤである。処理Ｓ７１５において制御部２１５は、受信された電子タグ１００のＩＤを監視対象リスト２１９に登録する。具体的には制御部２１５は、監視対象リスト２１９にペアリング機器として登録されている電子タグ１００のうち、監視対象とする電子タグに対応する「監視対象」の欄に「１」を登録する。その後、処理Ｓ７１７において制御部２１５は、置き忘れ防止処理の終了指示が受信されたか否かを判定する。置き忘れ防止処理の終了指示は、ユーザの帰宅を移動端末装置２００が自動で検知した場合や、ユーザが入力装置２４０を用いて移動端末装置２００に置き忘れ防止処理の終了を指示した場合に生成される。移動端末装置２００がユーザの帰宅を自動で検知する方法については後述される。処理Ｓ７１７において終了指示が受信されたと判定された場合は、処理フローは処理Ｓ７４０へ進み、終了指示が受信されたと判定されない場合は、処理フローは処理Ｓ７２０へ進む。
【００３６】
処理Ｓ７２０においてリンク切断検知部２１２は、電子タグ１００と移動端末装置２００との間の無線通信リンクが切断されたか否かを判定する。無線通信リンクが切断されたと判定された場合は、処理フローは処理Ｓ７２５へ進み、無線通信リンクが切断されたと判定されない場合は、処理フローは処理Ｓ７１７に戻る。処理Ｓ７２５において制御部２１５は監視対象リスト２１９を参照し、無線通信リンクが切断された電子タグ１００が監視対象であることを確認してアラーム部２１４へ通知し、アラーム部２１４は制御部２１５からの通知に基づきアラームが発生されるよう、出力装置２５０を制御する。その後、処理Ｓ７３０においてリンク部２１１が電子タグ１００との無線通信リンクが回復したか否かを判定する。無線通信リンクが回復したと判定された場合は、処理フローは処理Ｓ７１７へ戻り、無線通信リンクが回復されたと判定されない場合は、処理フローは処理Ｓ７２５へ戻る。
【００３７】
処理フローが処理Ｓ７１７から処理Ｓ７４０へ進んだ場合、処理Ｓ７４０において制御部２１５は、監視対象リスト２１９のリセットを行う。すなわち制御部２１５は、監視対象リスト２１９に監視対象として登録されていた電子タグ１００に対応する「監視対象」の欄に「０」を登録することにより、当該電子タグ１００を監視対象から削除する処理を行う。その後、処理フローは処理Ｓ７０５へ戻る。
【００３８】
このように実施例においては、ユーザが携帯する物品１に付された電子タグ１００とベース装置４００との無線通信リンクが切断された場合に、電子タグ１００が自身のＩＤを移動端末装置２００へ送信する。これにより、移動端末装置２００は、ユーザが外出時に携帯している物品１に付された電子タグ１００を、監視対象として選択的に登録することができる。
【００３９】
次に、電子タグ１００によって実行される移動端末装置２００との無線通信リンクによる接続の判定処理の詳細が開示される。図１１は、電子タグ１００のプロセッサ１１０によって実行される処理のフローチャートである。図１１の（Ａ）に開示される処理は、図９の処理Ｓ６１０に相当する。図９の処理Ｓ６０５の後、処理Ｓ６１１においてリンク部１１１は、所定の時間間隔でアドバタイズメントパケットを送信する。アドバタイズメントパケットは電子タグ１００のＩＤを含み、電子タグ１００が自身の存在を周辺の機器に知らせるパケットである。電子タグ１００の周辺に移動端末装置２００がある場合、移動端末装置２００は電子タグ１００から発信されたアドバタイズメントパケットを受信し、電子タグ１００に対して接続要求を行う。処理Ｓ６１２においてリンク部１１１は、移動端末装置２００からの接続要求が有るか否かを判定する。移動端末装置２００からの接続要求が有ると判定された場合は、処理フローは処理Ｓ６１３へ進み、移動端末装置２００からの接続要求が有ると判定されない場合は、処理フローは処理Ｓ６１４へ進む。処理フローが処理Ｓ６１３へ進んだ場合は、処理Ｓ６１３においてリンク部１１１は、移動端末装置２００との間に無線通信リンクを形成し、その後、処理フローは図９に開示された処理Ｓ６２０へ進む。また処理フローが処理Ｓ６１４へ進んだ場合は、処理Ｓ６１４において制御部１１５が、ベース装置４００との無線通信リンクの切断から所定時間が経過したか否かを判定する。所定時間が経過したと判定された場合は、処理フローは図９の処理Ｓ６４５へ進み、所定時間が経過したと判定されない場合は、処理フローは処理Ｓ６１２へ戻る。このようにして電子タグ１００は、ベース装置４００との無線通信リンクが切断された際に、移動端末装置２００が電子タグ１００の近傍に位置する場合には、移動端末装置２００との間に無線通信リンクを形成することができる。
【００４０】
尚、図１１の（Ａ）においては、電子タグ１００がアドバタイズメントパケットを発信し、移動端末装置２００がサーチを行う例が開示されたが、これとは逆に、図１１の（Ｂ）に開示されるように、移動端末装置２００がアドバタイズメントパケットを発信し、電子タグ１００がサーチを行ってもよい。
【００４１】
図１１の（Ｂ）は、電子タグ１００のプロセッサ１１０によって実行される処理フローのフローチャートであって、移動端末装置２００がアドバタイズメントパケットを発信し、電子タグ１００がサーチを行う場合のフローチャートである。図１１の（Ｂ）に開示される処理は、図９の処理Ｓ６１０に相当する。図９の処理Ｓ６０５の後、処理Ｓ６１５においてリンク部１１１は、移動端末装置２００のサーチを連続的に実行する。一方、移動端末装置２００は所定の時間間隔でアドバタイズメントパケットを送信する。アドバタイズメントパケットは移動端末装置２００のＩＤを含む。処理Ｓ６１６においてリンク部１１１は、移動端末装置２００から発信されたアドバタイズメントパケットが受信されたか否かを判定する。移動端末装置２００からのパケットが受信されたと判定された場合は、処理フローは処理Ｓ６１７へ進み、移動端末装置２００からのパケットが受信されたと判定されない場合は、処理フローは処理Ｓ６１８へ進む。処理フローが処理Ｓ６１７へ進んだ場合は、処理Ｓ６１７においてリンク部１１１は、移動端末装置２００との間に無線通信リンクを形成し、その後、処理フローは図９に開示された処理Ｓ６２０へ進む。また処理フローが処理Ｓ６１８へ進んだ場合は、処理Ｓ６１８において制御部１１５が、ベース装置４００との無線通信リンクの切断から所定時間が経過したか否かを判定する。所定時間が経過したと判定された場合は、処理フローは図９の処理Ｓ６４５へ進み、所定時間が経過したと判定されない場合は、処理フローは処理Ｓ６１６へ戻る。このようにして電子タグ１００は、ベース装置４００との無線通信リンクが切断された際に、移動端末装置２００が電子タグ１００の近傍に位置する場合には、移動端末装置２００との間に無線通信リンクを形成することができる。
【００４２】
尚、上記の実施例では、ユーザが外出する場合、どのタイミングで移動端末装置２００の無線装置２７０が起動するかについては言及されていない。例えばユーザの在宅中に無線装置２７０が起動され、各電子タグ１００との無線通信リンクが確立されていてもよく、またユーザの外出後に無線装置２７０が起動され、少なくともユーザが携帯している物品１の電子タグ１００と無線通信リンクが確立されてもよい。以下、実施例の変形例として、ユーザが外出したことを移動端末装置２００が検知して、無線装置２７０を起動させる例が開示される。この変形例では、ユーザが帰宅したことを移動端末装置２００が検知し、当該検知に基づいて電子タグ１００と移動端末装置２００の無線通信リンクが解除され、電子タグ１００がベース装置４００に接続される処理も開示される。
【００４３】
（実施例の変形例）
図１２は、実施例の変形例におけるユーザの外出を移動端末装置２００が検知するシステム構成図である。ユーザ宅内にはＷｉ‐Ｆｉのアクセスポイント３００が設けられる。移動端末装置２００は、アクセスポイント３００にＷｉ‐Ｆｉの無線通信リンクを用いて接続され、ユーザが移動端末装置２００を携帯して外出した際に、移動端末装置２００とアクセスポイント３００との無線通信リンクが切断される。移動端末装置２００は、無線通信リンクの切断が検知された場合に、ユーザが外出したと判断し、無線装置２７０を起動させる。
【００４４】
図１３は、実施例の変形例におけるアクセスポイント３００のハードウェア構成図である。アクセスポイント３００は、プロセッサ３１０、揮発性メモリ３２０、不揮発性メモリ３３０、入力装置３４０、出力装置３５０及び無線装置３８０を含む。プロセッサ３１０はハードウェアプロセッサであり、ＣＰＵ、ＭＣＵ、ＭＰＵ、ＤＳＰ、ＦＰＧＡ等が適用可能である。揮発性メモリ３２０は、例えばＳＲＡＭやＤＲＡＭ等であり、不揮発性メモリ３３０は、例えばＲＯＭ、マスクＲＯＭ、ＰＲＯＭ、フラッシュメモリ、ＭＲＡＭ、ＲｅＲＡＭ、ＦｅＲＡＭ等である。
【００４５】
入力装置３４０はタッチパネル、キースイッチ、ボタンスイッチ等であり、出力装置３５０はＬＣＤ、ＬＥＤ等である。無線装置３８０は、Ｗｉ‐Ｆｉによる通信機能を有する通信モジュールである。
【００４６】
図１４は、実施例の変形例における移動端末装置２００のプロセッサ２１０の機能ブロック図である。図７にて開示された機能ブロックと同一の機能を有する機能ブロックには同一の参照符号が付され、説明は省略される。プロセッサ２１０は、第１リンク部２１１、第１リンク切断検知部２１２、アラーム部２１４、制御部２１５、監視対象リスト２１９に加え、第２リンク部２１６及び第２リンク切断検知部２１７として機能する。尚、第１リンク部２１１は、電子タグ１００との無線通信リンクを確立し、第１リンク切断検知部２１２は、電子タグ１００との無線通信リンクの切断を検知する。これらの機能は、図７におけるリンク部２１１及びリンク切断検知部２１２とそれぞれ実質的に同一の機能であるため、同一の参照符号が付されるものとする。第２リンク部２１６は、アクセスポイント３００との無線通信リンクを確立し、第２リンク切断検知部２１７は、アクセスポイント３００との無線通信リンクの切断を検知する。第２リンク切断検知部２１７が無線通信リンクの切断を検知した場合は、制御部２１５は無線装置２７０を起動させる。
【００４７】
尚、ユーザの外出に伴って移動端末装置２００とアクセスポイント３００との間の無線通信リンクが切断されるタイミングは、電子タグ１００とベース装置４００との間の無線通信リンクが切断されるタイミングよりも早い方が好ましい。すなわち、移動端末装置２００とアクセスポイント３００との間の無線通信リンクによる通信可能距離が、電子タグ１００とベース装置４００との間の無線通信リンクによる通信可能距離よりも短く設定されることが好ましい。これにより、ユーザが外出して電子タグ１００とベース装置４００との間の無線通信リンクが切断された際に、無線装置２７０が起動されていないがために電子タグ１００からアラームが発生される、という事態を防止することができる。
【００４８】
図１５は、実施例の変形例における電子タグ１００、移動端末装置２００、ベース装置４００及びアクセスポイント３００の間で実行される処理の概要を示す図である。図５にて開示された処理と同一の処理については同一の参照符号が付され、説明は省略される。本図に開示される処理の開始前において、移動端末装置２００とアクセスポイント３００との間には、無線通信リンクが確立しているものとする。ユーザが移動端末装置２００及び物品１ｃを携帯して外出し、移動端末装置２００とアクセスポイント３００との間の無線通信リンクが切断され、処理Ｓ５０２において移動端末装置２００が無線通信リンクの切断を検知する。この検知を契機として、処理Ｓ５１２において移動端末装置２００が、無線装置２７０を起動させる。また、ユーザが帰宅した際、処理Ｓ５３２において移動端末装置２００がアクセスポイント３００に接続されて無線通信リンクが回復し、この接続を契機として処理Ｓ５３５及び処理Ｓ５４０において、移動端末装置２００と電子タグ１００ｃとの無線通信リンクによる接続が終了し、監視対象リスト２１９に登録されていた監視対象がリセットされる。また、電子タグ１００ｃと移動端末装置２００との接続が終了したことを契機として、電子タグ１００ｃとベース装置４００とが無線により接続される。
【００４９】
図１６は、実施例の変形例における移動端末装置２００のプロセッサ２１０によって実行される処理のフローチャートである。図１０に示された処理と同一の処理については同一の参照符号が付され、説明は省略される。処理フローが処理Ｓ７００にて開始された後、処理Ｓ７０２において第２リンク切断検知部２１７が、アクセスポイント３００との無線通信リンクの切断が検知されたか否かを判定する。切断が検知されたと判定されない場合は、処理Ｓ７０２の実行が繰り返され、切断が検知されたと判定された場合は、処理フローは処理Ｓ７０３へ進む。処理Ｓ７０３において制御部２１５が、無線装置２７０を起動させ、処理フローは処理Ｓ７０５へ進む。
【００５０】
また処理Ｓ７１５の後、処理Ｓ７１８において第２リンク部２１６が、アクセスポイント３００との無線通信リンクが回復したか否かを判定する。無線通信リンクが回復したと判定される場合は、処理フローは処理Ｓ７４０へ進み、無線通信リンクが回復したと判定されない場合は、処理フローは処理Ｓ７２０へ進む。処理Ｓ７２０において、電子タグ１００との無線通信リンクが切断されたと判定されない場合は、処理フローは処理Ｓ７１８に戻る。
【００５１】
このように変形例においては、ユーザが外出したことを移動端末装置２００が自動で検知して無線装置２７０を起動させる。またユーザが帰宅した際には、自動で移動端末装置２００が電子タグ１００との無線通信リンクを終了させる。尚、Ｗｉ-Ｆｉによる無線通信リンクの切断を移動端末装置２００が検知する方法は、ユーザの外出を移動端末装置２００によって自動的に検知する方法の一例であって、他の方法が適用されてもよい。例えば、移動端末装置２００がＧＰＳ（Ｇｌｏｂａｌ  Ｐｏｓｉｔｉｏｎｉｎｇ  Ｓｙｓｔｅｍ）機能を有する場合、当該ＧＰＳ機能を用いてユーザが自宅から離れたことが検知されてもよい。具体的にはユーザ宅の位置を特定する第１位置情報が、不揮発性２３０に格納された地図情報上に予め登録され、ＧＰＳ機能を用いて取得される移動端末装置２００の第２位置情報が第１位置情報と比較されることによって、移動端末装置２００を携帯するユーザが外出したこと又は帰宅したことが検知されてもよい。
【００５２】
以上、実施例及びその変形例が開示された。
【００５３】
実施例及び変形例において、電子タグ１００と移動端末装置２００との近距離通信の通信規格としてＢｌｕｅｔｏｏｔｈを例に挙げて説明したが、本発明においてはＢｌｕｅｔｏｏｔｈ以外の無線通信規格が用いられてもよい。同様に、移動端末装置２００によるユーザの外出の自動検知の方法としてＷｉ-Ｆｉを利用する例を挙げて説明したが、本発明においてはＷｉ-Ｆｉ以外の無線通信規格が用いられてもよい。
【００５４】
また、実施例及び変形例は、電子タグ１００の有する無線通信機能が一対一接続の機能であるものとして説明された。しかし電子タグ１００の有する無線通信機能は一対多接続の機能であってもよい。例えば電子タグ１００がベース装置４００及び移動端末装置２００の両方に同時に接続可能であってもよい。この場合、電子タグ１００は、ベース装置４００との無線通信リンクが切断される前に移動端末装置２００との間に無線通信リンクを形成することができる。そして電子タグ１００は、ベース装置４００との間の無線通信リンクが切断された場合に、移動端末装置２００との間に既に形成されている無線通信リンクを用いて、移動端末装置２００にＩＤを送信してもよい。
【００５５】
開示の実施例に基づき、更に以下の付記を開示する。
（付記１）
第１通信装置と、
第１無線通信リンクを用いて前記第１通信装置と接続される第２通信装置と、
第１記憶部と第１アラーム生成手段とを有し、第２無線通信リンクを用いて前記第１通信装置と接続される情報処理装置と、を含み、
前記第２無線通信リンクが切断された場合であって、前記第１通信装置を特定する第１情報が前記第１記憶部に登録されている場合に、前記情報処理装置が、前記第１アラーム生成手段を用いてアラームを生成する電子システムであって、
前記第１無線通信リンクが切断された場合、前記第１通信装置は、前記第１情報を、前記第２無線通信リンクを用いて前記情報処理装置へ送信し、
前記情報処理装置は、前記第１情報の受信に基づき、前記第１情報を前記第１記憶部に登録する
ことを特徴とする電子システム。
（付記２）
前記第１通信装置は、第２アラーム生成手段を有し、
前記第１通信装置は、前記第１無線通信リンク及び前記第２無線通信リンクが切断されている場合に、前記第２アラーム生成手段を用いてアラームを生成する
ことを特徴とする付記１に記載の電子システム。
（付記３）
前記第１通信装置は、前記第１無線通信リンクが切断された場合に、前記第１情報を含むパケットを発信し、
前記情報処理装置は、前記第１通信装置のサーチを実行し、
前記サーチにおいて前記情報処理装置が前記パケットを受信した場合に、前記第１通信装置及び前記情報処理装置は、前記第２無線通信リンクを形成する
ことを特徴とする付記１又は２に記載の電子システム。
（付記４）
前記情報処理装置は、前記情報処理装置を特定する第２情報を含むパケットを発信し、
前記第１通信装置は、前記第１無線通信リンクが切断された場合に、前記情報処理装置のサーチを実行し、
前記サーチにおいて前記第１通信装置が前記パケットを受信した場合に、前記第１通信装置及び前記情報処理装置は、前記第２無線通信リンクを形成する
ことを特徴とする付記１又は２に記載の電子システム。
（付記５）
前記情報処理装置は、前記第２無線通信リンクの形成を実行する無線装置を有し、
前記情報処理装置は、第３通信装置との間に、第３無線通信リンクを形成し、
前記情報処理装置は、前記第３無線通信リンクが切断された場合に、前記無線装置を起動する
ことを特徴とする付記１乃至４何れか一つに記載の電子システム。
（付記６）
前記情報処理装置は、前記第３無線通信リンクが回復した場合に、前記第１記憶部から前記第１情報を削除する
ことを特徴とする付記５に記載の電子システム。
（付記７）
前記第１無線通信リンク及び前記第２無線通信リンクは、Ｂｌｕｅｔｏｏｔｈに基づく無線通信リンクであることを特徴とする付記１乃至６何れか一つに記載の電子システム。
（付記８）
前記第３無線通信リンクはＷｉ‐Ｆｉに基づく無線通信リンクであることを特徴とする付記５乃至７何れか一つに記載の電子システム。
（付記９）
第１無線通信リンクを用いて他の通信装置と接続され、第２無線通信リンクを用いて情報処理装置と接続される通信装置であって、
前記第１無線通信リンクが切断された場合、前記通信装置を特定する第１情報を、前記第２無線通信リンクを用いて前記情報処理装置へ送信する
ことを特徴とする通信装置。
（付記１０）
アラーム生成手段を有し、前記第１無線通信リンク及び前記第２無線通信リンクが切断されている場合に、前記アラーム生成手段を用いてアラームを生成する
ことを特徴とする付記９に記載の通信装置。
（付記１１）
前記第１無線通信リンクが切断された場合に、前記第１情報を含むパケットを発信し、
前記情報処理装置からの接続要求を受信した場合に、前記情報処理装置との間に前記第２無線通信リンクを形成する
ことを特徴とする付記９又は１０に記載の通信装置。
（付記１２）
前記第１無線通信リンクが切断された場合に、前記情報処理装置のサーチを実行し、
前記サーチにおいて前記情報処理装置が発信するパケットを受信した場合に、前記情報処理装置との間に前記第２無線通信リンクを形成する
ことを特徴とする付記９又は１０に記載の通信装置。
（付記１３）
第１通信装置と、第１無線通信リンクを用いて前記第１通信装置と接続される第２通信装置と、第１記憶部と第１アラーム生成手段とを有し、第２無線通信リンクを用いて前記第１通信装置と接続される情報処理装置と、を含み、前記第２無線通信リンクが切断された場合であって、前記第１通信装置を特定する第１情報が前記第１記憶部に登録されている場合に、前記情報処理装置が、前記第１アラーム生成手段を用いてアラームを生成する電子システムにより実行される登録方法であって、
前記第１無線通信リンクが切断された場合、前記第１通信装置が、前記第１情報を、前記第２無線通信リンクを用いて前記情報処理装置へ送信し、
前記情報処理装置は、前記第１情報の受信に基づき、前記第１情報を前記第１記憶部に登録する
ことを特徴とする登録方法。
（付記１４）
前記第１通信装置は、第２アラーム生成手段を有し、
前記第１通信装置が、前記第１無線通信リンク及び前記第２無線通信リンクが切断されている場合に、前記第２アラーム生成手段を用いてアラームを生成する
ことを特徴とする付記１３に記載の登録方法。
（付記１５）
前記第１通信装置が、第１無線通信リンクが切断された場合に、前記第１情報を含むパケットを発信し、
前記情報処理装置が、前記第１通信装置のサーチを実行し、
前記サーチにおいて前記情報処理装置が前記パケットを受信した場合に、前記第１通信装置及び前記情報処理装置が、前記第２無線通信リンクを形成する
ことを特徴とする付記１３又は１４に記載の登録方法。
（付記１６）
前記情報処理装置が、前記情報処理装置を特定する第２情報を含むパケットを発信し、
前記第１通信装置が、前記第１無線通信リンクが切断された場合に、前記情報処理装置のサーチを実行し、
前記サーチにおいて前記第１通信装置が前記パケットを受信した場合に、前記第１通信装置及び前記情報処理装置が、前記第２無線通信リンクを形成する
ことを特徴とする付記１３又は１４に記載の登録方法。
【符号の説明】
【００５６】
１、１ａ、１ｂ、１ｃ、１ｄ  物品
１００、１００ａ、１００ｂ、１００ｃ、１００ｄ  電子タグ
２００  移動端末装置
３００  アクセスポイント
４００  ベース装置
１１０、２１０、３１０、４１０  プロセッサ
１２０、２２０、３２０、４２０  揮発性メモリ
１３０、２３０、３３０、４３０  不揮発性メモリ
１４０、２４０、３４０、４４０  入力装置
１５０、２５０、３５０、４５０  出力装置
１７０、２７０、４７０  無線装置
２８０、３８０  無線装置
２９０  無線装置
１１１、４１１  リンク部
１１２  リンク切断検知部
２１１  第１リンク部
２１２  第１リンク切断検知部
１１３  ＩＤ通知部
１１４、２１４  アラーム部
１１５、２１５、４１５  制御部
２１６  第２リンク部
２１７  第２リンク切断検知部
１１８、４１８  ペアリングリスト
２１９  監視対象リスト
【図１Ａ】
2018085605.tif 000003
【図１Ｂ】
2018085605.tif 000004
【図２】
2018085605.tif 000005
【図３】
2018085605.tif 000006
【図４】
2018085605.tif 000007
【図５】
2018085605.tif 000008
【図６】
2018085605.tif 000009
【図７】
2018085605.tif 000010
【図８】
2018085605.tif 000011
【図９】
2018085605.tif 000012
【図１０】
2018085605.tif 000013
【図１１】
2018085605.tif 000014
【図１２】
2018085605.tif 000015
【図１３】
2018085605.tif 000016
【図１４】
2018085605.tif 000017
【図１５】
2018085605.tif 000018
【図１６】
2018085605.tif 000019